(57)【要約】【課題】装置全体を新たに最初から開発を行う必要なく、一部の改変で、測定器が測定データを出力する際の通信方式や出力する測定データの形式に関わらず、任意の記憶媒体に測定データを記憶させることが可能な、測定データ入力支援装置、測定データ入力支援装置を用いた方法、及び測定データ入力支援装置に手順を実行させるプログラムを提供する。【解決手段】複数種類の測定器１及び複数種類の記憶媒体と接続可能な測定データ入力支援装置２であって、測定データ入力支援装置２は、測定器１から測定データを受信する第１通信手段と、第１通信手段が受信した測定データを解釈・特定する制御手段と、解釈・特定された測定データを、出力先の前記記憶媒体に入力可能な形式に変換して前記記憶媒体に出力する第２通信手段と、を有する構成とした。【選択図】図１
2019133442.tif 000002
【特許請求の範囲】
【請求項１】
複数種類の測定器及び複数種類の記憶媒体と接続可能な測定データ入力支援装置であって、
当該測定データ入力支援装置は、
前記測定器から測定データを受信する第１通信手段と、
当該第１通信手段が受信した測定データを解釈・特定する解釈手段と、
解釈・特定された測定データを、出力先の前記記憶媒体に入力可能な形式に変換して前記記憶媒体に出力する第２通信手段と、を有することを特徴とする、測定データ入力支援装置。
【請求項２】
複数種類の測定器及び複数種類の記憶媒体と接続可能な測定データ入力支援装置を用いた方法であって、
当該測定データ入力支援装置は、
前記測定器から測定データを受信するステップと、
受信した測定データを解釈・特定するステップと、
解釈・特定された測定データを、出力先の前記記憶媒体に入力可能な形式に変換して前記記憶媒体に出力するステップと、を有することを特徴とする、方法。
【請求項３】
複数種類の測定器及び複数種類の記憶媒体と接続可能な測定データ入力支援装置に手順を実行させるプログラムであって、
当該測定データ入力支援装置に、
前記測定器から測定データを受信する第１通信手段と、
当該第１通信手段が受信した測定データを解釈・特定する解釈手段と、
解釈・特定された測定データを、出力先の前記記憶媒体に入力可能な形式に変換して前記記憶媒体に出力する第２通信手段と、
して機能させることを特徴とする、プログラム。
【発明の詳細な説明】
【技術分野】
【０００１】
本発明は、測定器が測定データを出力する際の通信方式や出力する測定データの形式に関わらず、任意の記憶媒体に測定データを入力させる、測定データ入力支援装置に関する。
【背景技術】
【０００２】
従来、測定器が測定データを出力する際の通信方式や出力する測定データの形式は、各測定器の仕様に依存するため、バラバラで統一化されていない。
【０００３】
例えば、照度計の場合、測定結果をアナログ信号で出力するタイプもあれば、デジタル信号で出力するタイプもある。
【０００４】
一方、測定データを入力する、情報処理装置に格納されている記憶媒体が採用している通信方式やデータ形式に合わせるため、所定の通信方式で出力されている測定データを別の通信方式に変換したい。あるいは、別のデータ形式に変換したいという要望がある。そのような場合には、測定器から出力された測定データについて、記憶媒体に記憶されるまでの間に、通信方式やデータ形式を変換する必要がある。
【０００５】
例えば、特許文献１では、以下の構成が開示されている。分光器は波長毎に測定を行って測定結果をアナログ信号としてデータ取込機へ伝送する。データ取込機は、アナログ信号を所要値に変換してコンピュータへ伝送し、コンピュータで解析を行う。
【先行技術文献】
【特許文献】
【０００６】
【特許文献１】特開２０１６―１２８７８０号公報
【発明の概要】
【発明が解決しようとする課題】
【０００７】
しかしながら、上記特許文献１で開示されているような、測定器から得られた測定データを、情報処理装置に入力可能な構成に変換して、情報処理装置に入力する構成では、受信した測定データについて、１）測定データを受信する処理、２）特定した測定データの内容を解釈・特定する処理、３）解釈・特定した測定データを、入力先の情報処理装置に格納されている記憶媒体に、入力可能なデータ形式に変換する処理を、一緒にまとめて実行する場合が多い。
【０００８】
このような構成は、その測定器が採用している通信方式及びデータ形式、入力先の情報処理装置の記憶媒体に入力可能なデータ形式に合わせて開発した、当該測定器及び当該情報処理装置の記憶媒体専用の構成である。そのため、別の通信方式及びデータ形式を採用している測定器や、入力可能なデータ形式が異なる情報処理装置の記憶媒体には、対応できない。
【０００９】
また、上記特許文献１で開示されている構成のように、上記１）〜３）の処理をまとめて実行する構成を、別の通信方式及びデータ形式を採用している測定器や、入力可能なデータ形式が異なる情報処理装置の記憶媒体に対応させようとする場合、一部の改変では対応できず、別途新たに最初から開発を行う必要がある。
【００１０】
そこで本発明は、上記問題点に対処するため、装置全体を新たに最初から開発を行う必要なく、一部の改変で、測定器が測定データを出力する際の通信方式や出力する測定データの形式に関わらず、任意の記憶媒体に測定データを記憶させることが可能な、測定データ入力支援装置、測定データ入力支援装置を用いた方法、及び測定データ入力支援装置に手順を実行させるプログラムを提供することを目的とする。
【課題を解決するための手段】
【００１１】
前記目的を達成するため、請求項１に係る発明は、
複数種類の測定器及び複数種類の記憶媒体と接続可能な測定データ入力支援装置であって、
当該測定データ入力支援装置は、
前記測定器から測定データを受信する第１通信手段と、
当該第１通信手段が受信した測定データを解釈・特定する解釈手段と、
解釈・特定された測定データを、出力先の前記記憶媒体に入力可能な形式に変換して前記記憶媒体に出力する第２通信手段と、を有する、測定データ入力支援装置とした。
【００１２】
また、請求項２に係る発明は、
複数種類の測定器及び複数種類の記憶媒体と接続可能な測定データ入力支援装置を用いた方法であって、
当該測定データ入力支援装置は、
前記測定器から測定データを受信するステップと、
受信した測定データを解釈・特定するステップと、
解釈・特定された測定データを、出力先の前記記憶媒体に入力可能な形式に変換して前記記憶媒体に出力するステップと、を有する、方法とした。
【００１３】
また、請求項３に係る発明は、
複数種類の測定器及び複数種類の記憶媒体と接続可能な測定データ入力支援装置に手順を実行させるプログラムであって、
当該測定データ入力支援装置に、
前記測定器から測定データを受信する第１通信手段と、
当該第１通信手段が受信した測定データを解釈・特定する解釈手段と、
解釈・特定された測定データを、出力先の前記記憶媒体に入力可能な形式に変換して前記記憶媒体に出力する第２通信手段と、
して機能させる、プログラムとした。
【発明の効果】
【００１４】
本発明によれば、装置全体を新たに最初から開発を行う必要なく、一部の改変で、測定器と記憶媒体の様々な組み合わせを容易に構築することが可能となり、優れた汎用性・拡張性を有する。また、測定器の測定データの通信方式や測定データの方式に関わらず、任意の記憶媒体にダイレクトに記憶させることができるため、高いユーザビリティを有し、また既存データを活用することができる。
【図面の簡単な説明】
【００１５】
【図１】本発明の実施の形態例１の測定データ入力支援システムの全体的な構成を例示的に示す図である。
【図２】本発明の実施の形態例１の測定データ入力支援システムの測定データ入力支援装置の構成を例示的に示す図である。
【図３】本発明の実施の形態例１の測定データ入力支援システムに係る測定データ入力支援装置の図面データ記憶領域の構造を模式的に示した図である。
【図４】本発明の実施の形態例１の測定データ入力支援システムに係る測定データ入力支援装置の表示装置上に図面データが表示された状態を例示的に示す図である。
【図５】本発明の実施の形態例１の測定データ入力支援システムに係る測定データ入力支援装置の表示装置上に操作メニューが表示された状態を例示的に示す図である。
【図６】本発明の実施の形態例１の測定データ入力支援システムが実行する処理の手順を示す流れ図である。
【図７】本発明の実施の形態例１の測定データ入力支援システムが実行する処理の手順を示す流れ図である。
【発明を実施するための形態】
【００１６】
以下、添付図面を参照して本発明に係る実施の形態例を詳細に説明する。ただし、この実施の形態例に記載されている構成要素はあくまでも例示であり、本発明の範囲をそれらのみに限定する趣旨のものではない。
【００１７】
＜実施の形態例１＞
図１は、本実施の形態例１に係る測定データ入力支援システムの全体的な構成を示した図である。
【００１８】
本システムは、測定器１による測定データをタブレット端末、モバイルPC等の情報処理装置である、測定データ入力支援装置２へ出力する。そして、当該測定データ入力支援装置２は、受信した測定データを、自身内に格納されている、Auto CAD等のアプリケーションプログラム（＝アプリ）を用いて表示する。また、測定データを、当該アプリに入力（読み込み）可能なデータ形式に変換して記憶する。なお、本実施の形態例１では、照度計を測定器１として用いる構成を示す。また、本実施の形態例１では、測定データを、入力（読み込み）可能なデータ形式で記憶するための「記憶媒体」としてアプリを用いる構成を示す。また、「測定データ」には、数値データとレンジデータが含まれる。
【００１９】
図１に示すように、本実施の形態例１の測定データ入力支援システムは、主として測定器１と測定データ入力支援装置２とから構成されている。測定器１と測定データ入力支援装置２は、相互に情報の送受信が可能なように有線あるいは無線の、ネットワーク３で接続されており、例えば、ネットワーク３は、無線のBluetooth（登録商標） Low Energy（＝BLE、Bluetooth（登録商標）4.2）である。
【００２０】
＜測定器１の構成＞
測定器１は、光の照度を測定して、測定データを表示する照度計である。また、測定データ入力支援装置２に測定データを出力する。
【００２１】
次に、測定器１のハードウェア構成について、図１を参照して説明する。
【００２２】
測定部１１は、Ｓｉフォトダイオード等の受光素子（図示省略）を有しており、当該受光素子が受けた光の照度に応じたアナログ信号（測定データ）を、Ａ/Ｄ変換部１２に出力する。Ａ/Ｄ変換部１２は、例えば、Ａ/Ｄコンバータで実現され、入力された測定データに係るアナログ信号を、デジタル信号に変換して出力する。
【００２３】
表示部１３は、例えば７セグメントディスプレイで実現され、測定データを表示する。また、入力部１４は、ユーザから入力操作を受け付けるボタン、スイッチである。特に、ユーザから測定器１に対する電源のオン/オフ操作を受け付ける。また、表示部１３上に表示されている測定データの表示を、ホールド（そのまま継続）させる旨の表示ホールド命令の入力を受け付ける。
【００２４】
通信部１５は、インターフェイス（以下、Ｉ／Ｆという）であり、測定器１は、この通信部１５を介して測定データ入力支援装置２とのデータのやり取りを行う。例えば、本実施の形態例１では、通信部１５は、ＢＬＥ Ｉ/Ｆ（Peripheral）である。通信部１５は、測定器１の電源がオンの場合、アドバタイズパケットを一定の間隔で外部に出力する。また、測定データ入力支援装置２のＢＬＥ Ｉ/Ｆ（Central）であるＩ/Ｆ２７が開始するコネクション（接続）確立手順に応答し、測定データ入力支援装置２との間でコネクションを確立する。また、通信部１５は、制御部１６からの命令に応じて、測定データが格納されたＢＬＥ汎用アトリビュートファイルを、測定データ入力支援装置２のＢＬＥ Ｉ/Ｆ（Central）であるＩ/Ｆ２７に対して出力する。
【００２５】
制御部１６は、例えば単一のＬＳＩから成るマイコンで実現される。特に、制御部１６は、入力部１４を通じて、測定器１に対する電源のオン操作を認識すると、自身の電源をオン状態にする。また、制御部１６は、Ａ/Ｄ変換部１２から受信した、デジタル信号に係る測定データを、一定間隔（例えば、５００msec）毎に、制御部１６内（例えば、制御部１６内のFIFOテーブル）に格納する。格納可能な測定データの数は、例えば１０個であり、格納の古い順に削除される。また、制御部１６は、制御部１６内に格納されている測定データを、格納された順に表示部１３上に表示する。
【００２６】
また、制御部１６は、入力部１４を通じて表示ホールド命令の入力を受け付けると、現在表示部１３に表示されている測定データの表示をホールド（そのまま維持）する。また、制御部１６は、通信部１５を通じて、測定データの入力を開始する旨の測定データ入力開始命令を受信すると、現在表示部１３に表示されている測定データの表示をホールド（そのまま維持）し、制御部１６内から、表示されている測定データを呼び出して、通信部１５を通じて、測定データ入力支援装置２に出力する。
【００２７】
この「制御部１６内から、表示されている測定データを呼び出して、通信部１５を通じて、測定データ入力支援装置２に出力する」処理について、詳しく説明する。制御部１６は、ＢＬＥ Ｉ/Ｆ（Peripheral）である通信部１５を通じて、ＢＬＥ汎用アトリビュートファイル内の「キャラクタリスティクス」に測定データを格納する。そして、測定データが格納されたＢＬＥ汎用アトリビュートファイルを、測定データ入力支援装置２のＢＬＥ Ｉ/Ｆ（Central）であるＩ/Ｆ２７に対して出力する。
【００２８】
＜測定データ入力支援装置２の構成＞
測定データ入力支援装置２は、受信した測定データを、自身内に格納されている、Auto CAD等のアプリを用いて表示する。また、測定データを、当該アプリに入力（読み込み）可能なデータ形式に変換して記憶する。
【００２９】
次に、測定データ入力支援装置２のハードウェア構成について、図２を参照して説明する。
【００３０】
ＣＰＵ（＝Central Processing Unit）２１は、ＨＤ（＝Hard Disk）２２等に格納されているアプリケーションプログラム（＝アプリ）、オペレーティングシステム（ＯＳ）や制御プログラム等を実行し、ＲＡＭ（＝Random Access Memory）２３にプログラムの実行に必要なデータ、ファイル等を一時的に格納する制御を行う。
【００３１】
特に、ＣＰＵ２１は、ＨＤ２２等に格納されている「Auto CAD」（登録商標）等の描画用アプリを呼び出して、実行し、ＲＡＭ２３に描画用アプリの実行に必要なデータ、ファイル等を一時的に格納する。
【００３２】
また、ＣＰＵ２１は、ディスプレイ２５上に表示された、特定の図面データを示すアイコンがクリック（又はタップ）される等、入力装置２６を通じて、特定の図面データの選択を受け付けると、選択された当該図面データに係る図面識別データに基づいて、ＨＤ２２内の図面データ記憶領域２２１内を検索し、同一の図面識別データに関連付けて記憶されている図面データを呼び出して、ディスプレイ２５上に表示させる。
【００３３】
また、ＣＰＵ２１は、ディスプレイ２５上に表示された図面上の任意の点が、入力装置２６を通じて、クリック（又はタップ）されたことを認識すると、図４に示すように、当該図面上の点に測定ポイントを示す測定ポイントマーカー（目印）と測定データを入力可能な測定データ入力欄を表示させる。また、ＣＰＵ２１は、ディスプレイ２５上に表示されている図面に係る図面識別データに関連付けて、クリック（又はタップ）された図面上の点の座標データを図面データ記憶領域２２１に記憶し、また、測定データを記憶する領域を確保する。
【００３４】
また、ＣＰＵ２１（第２通信手段の一例）は、図５に示すように、ディスプレイ２５上に表示されたアイコン「接続開始」ボタンが、入力装置２６を通じて、クリック（又はタップ）されたことを認識する。すると、ＣＰＵ２１（解釈手段の一例）は、当該「接続開始」の命令を解釈・特定する。そして、ＣＰＵ２１（第１通信手段）は、ＢＬＥ Ｉ/Ｆ（Central）であるＩ/Ｆ２７を通じて、ＢＬＥの所定の手順に従い、測定器１とのコネクションを確立する。以下、詳しく説明する。
【００３５】
ＣＰＵ２１（第１通信手段の一例）は、Ｉ/Ｆ２７を通じて、ＢＬＥ Ｉ/Ｆ（Peripheral）から受信したアドバタイズパケットのスキャンを実行する。その結果、自身が求めるサービスを提供していると判断すると，ＢＬＥ Ｉ/Ｆ（Peripheral）に対しコネクションを要求して、コネクション確立処理（接続処理）を行う。
【００３６】
また、ＣＰＵ２１（第２通信手段の一例）は、図５に示すように、ディスプレイ２５上に表示されたアイコン「測定」ボタンが、入力装置２６を通じて、クリック（又はタップ）されたことを認識し、ディスプレイ２５上の図面に表示されたいずれかの測定ポイントマーカーが、入力装置２６を通じて、クリック（又はタップ）されたことを認識する。すると、ＣＰＵ２１（解釈手段の一例）は、当該「測定」の命令、「測定ポイントマーカーのクリック（測定データ入力先の決定）」の命令を解釈・特定する。そして、ＣＰＵ２１（第１通信手段の一例）は、測定データの入力を開始する旨の測定データ入力開始命令を、測定器１に入力可能なデータ形式に変換して、変換後の測定データ入力開始命令を、Ｉ/Ｆ２７を通じて測定器１に出力する。
【００３７】
ＣＰＵ２１（第１通信手段の一例）は、Ｉ/Ｆ２７を通じて、ＢＬＥ Ｉ/Ｆ（Peripheral）である通信部１５から出力された、測定データが格納されたBLE汎用アトリビュートファイルを受信する。
【００３８】
ＣＰＵ２１（解釈手段の一例）は、Ｉ/Ｆ２７を通じて受信した、ＢＬＥ汎用アトリビュートファイルのキャラクタリスティックスに格納されている測定データを解釈・特定する。例えば、測定データに含まれる数値データが「４」でレンジデータが「×１００」の場合には、当該測定データは「４００（Lux）」と解釈・特定される。
【００３９】
また、ＣＰＵ２１（第２通信手段の一例）は、解釈・特定された測定データを、描画用アプリに入力（読み込み）可能な形式に、当該測定データの形式を変換する。
【００４０】
そして、ＣＰＵ２１は、形式を変換した測定データを、図面データ記憶領域２２１内に出力して、クリック（又はタップ）された測定ポイントマーカーの座標データに関連付けて記憶する。
【００４１】
ＲＡＭ２３は、各種データを一時記憶するためのものであり、ＣＰＵ２１の主メモリ、ワークエリア等として機能する。ＲＯＭ（＝Read Only Memory）２４は、内部に基本Ｉ／Ｏプログラム等のプログラム、基本処理において使用する各種データを記憶する。
【００４２】
ＨＤ２２は、大容量メモリとして機能し、このＨＤ２２には、図面データ記憶領域２２１が設けられている。この図面データ記憶領域２２１には、図３に示すように、測定ポイントマーカーの図面上の位置を示す座標データ及び測定データが、図面識別データに関連付けて記憶される。
【００４３】
ディスプレイ２５は、例えば、液晶ディスプレイ、有機ELディスプレイ、ドットマトリクス型のディスプレイであり、入力装置２６から入力された命令や、それに対する測定データ入力支援装置２の応答出力等を表示するものである。
【００４４】
入力装置２６は、ユーザから測定データ入力支援装置２に対するデータや命令の入力を受け付ける、例えば、キーボード、タッチパネル、ポインティングデバイス（マウス）である。
【００４５】
バス２８は、測定データ入力支援装置２内のデータの流れを司るものである。
【００４６】
Ｉ/Ｆ２７はインターフェイスであり、測定データ入力支援装置２は、このＩ/Ｆ２７を通じて測定器１と命令やデータのやり取りを行う。例えば、本実施の形態例１では、Ｉ/Ｆ２７は、ＢＬＥ Ｉ/Ｆ（Central）である。
【００４７】
なお、本実施の形態例１では、ＣＰＵ２１が、Ｉ/Ｆ２７を通じて、測定器１の通信部１５との間でコネクションを確立する構成を示したが、この構成に限定されるものではない。例えば、測定データ入力支援装置２は、データカード（ハードウェアデバイス）等からなる、通信制御手段を有する（図示省略）。そして、通信制御手段が、Ｉ/Ｆ２７を通じて、測定器１からのアドバタイズパケットの受信を契機として、測定器１の通信部１５との間でコネクションを確立する、測定データ入力開始命令を、測定器１に入力可能なデータ形式に変換して、変換後の測定データ入力開始命令を、Ｉ/Ｆ２７を通じて測定器１に出力する、測定データが格納されたBLE汎用アトリビュートファイルを受信する構成としても良い。
【００４８】
また、以上の各装置と同等の機能を実現するソフトウェアにより、ハードウェア装置の代替として構成することもできる。
【００４９】
＜測定データ入力支援システムの処理の流れ＞
次に、本実施の形態例１に係る測定データ入力支援システムの処理の流れについて図６及び図７を用いて説明する。
【００５０】
また、これから説明する測定データ入力支援システムの処理を実行する前提として、ディスプレイ２５上に表示された描画用のアプリのアイコンをクリックする等して、ユーザは測定データ入力支援装置２を操作し、測定データ入力支援装置２に、描画用のアプリをＨＤ２２から呼び出させ、描画用アプリを実行（起動）させておく必要がある。
【００５１】
測定データ入力支援装置２は、ディスプレイ２５上に表示された、特定の図面データを示すアイコンがクリック（タップ）される等、入力装置２６を通じて、特定の図面データの選択を受け付けると（ステップS６０１）、選択された当該図面データに係る図面識別データに基づいて、ＨＤ２２の図面データ記憶領域２２１内を検索し、同一の図面識別データに関連付けて記憶されている図面データを呼び出して、ディスプレイ２５上に表示させる（ステップS６０２）。
【００５２】
測定データ入力支援装置２は、ディスプレイ２５上に表示された図面上の任意の点が、入力装置２６を通じて、クリック（又はタップ）されたことを認識すると（ステップS６０３）、図４に示すように、当該図面上の点に測定ポイントを示す測定ポイントマーカー（目印）と測定データを入力可能な測定データ入力欄を表示させる（ステップS６０４）。また、測定データ入力支援装置２は、ディスプレイ２５上に表示されている図面に係る図面識別データに関連付けて、クリック（又はタップ）された図面上の点の座標データを図面データ記憶領域２２１に記憶し、また、測定データを記憶する領域を確保する（ステップS６０５）。このステップS６０３〜ステップ６０５の処理が完了することによって、１つの測定ポイントの作成が完了する。複数の測定ポイントを作成する場合には、ステップS６０３〜ステップ６０５の処理を繰り返す。
【００５３】
測定器１は、入力部１４を通じて、測定器１に対する電源のオン操作を認識すると（ステップS６０６）、自身の電源をオン状態にする（ステップS６０７）。
【００５４】
測定器１は、測定部１１で受光素子が受けた光の照度に応じたアナログ信号（測定データ）を、Ａ/Ｄ変換部１２に出力し、Ａ/Ｄ変換部１２で、入力された測定データに係るアナログ信号を、デジタル信号に変換して制御部１６に出力する。また、測定器１は、Ａ/Ｄ変換部１２から受信した、デジタル信号に係る測定データを、一定間隔（例えば、５００msec）毎に、制御部１６内（例えば、制御部１６内のFIFOテーブル）に格納する。また、測定器１は、制御部１６内に格納されている測定データを、格納された順に表示部１３上に表示する。
【００５５】
測定データ入力支援装置２は、図５に示すように、ディスプレイ２５上に表示されたアイコン「接続開始」ボタンが、入力装置２６を通じて、クリック（又はタップ）されたことを認識する（ステップS６０８）。すると、測定データ入力支援装置２は、当該「接続開始」の命令を解釈・特定する（ステップＳ６０９）。そして、測定データ入力支援装置２は、ＢＬＥ Ｉ/Ｆ（Central）であるＩ/Ｆ２７を通じて、ＢＬＥの所定の手順に従い、測定器１とのコネクションを確立する（ステップS６１０）。
【００５６】
次に、図７に示すように、測定データ入力支援装置２は、図５に示すように、ディスプレイ２５上に表示されたアイコン「測定」ボタンが、入力装置２６を通じて、クリック（又はタップ）されたことを認識し（ステップS７０１）、ディスプレイ２５上の図面に表示されたいずれかの測定ポイントマーカーが、入力装置２６を通じて、クリック（又はタップ）されたことを認識する（ステップS７０２）。すると、測定データ入力支援装置２は、当該「測定」の命令、「測定ポイントマーカーのクリック（測定データ入力先の決定）」の命令を解釈・特定する（ステップS７０３）。そして、測定データ入力支援装置２は、測定データの入力を開始する旨の測定データ入力開始命令を、測定器１に入力可能なデータ形式に変換して、変換後の測定データ入力開始命令を、Ｉ/Ｆ２７を通じて測定器１に出力する（ステップS７０４）。
【００５７】
測定器１は、通信部１５を通じて、測定データの入力を開始する旨の測定データ入力開始命令を受信すると、現在表示部１３に表示されている測定データの表示をホールド（そのまま維持）し、制御部１６内から、表示されている測定データを呼び出して、通信部１５を介して、測定データ入力支援装置２に出力する（ステップS７０５）。詳しくは、測定器１は、ＢＬＥ Ｉ/Ｆ（Peripheral）である通信部１５を通じて、ＢＬＥ汎用アトリビュートファイル内の「キャラクタリスティクス」に測定データを格納する。そして、測定データが格納されたＢＬＥ汎用アトリビュートファイルを、測定データ入力支援装置２のＢＬＥ Ｉ/Ｆ（Central）であるＩ/Ｆ２７に対して出力する。
【００５８】
測定データ入力支援装置２は、Ｉ/Ｆ２７を通じて、ＢＬＥ Ｉ/Ｆ（Peripheral）である通信部１５から出力された、測定データが格納されたBLE汎用アトリビュートファイルを受信する（ステップS７０６）。
【００５９】
そして、測定データ入力支援装置２は、Ｉ/Ｆ２７を通じて受信した、ＢＬＥ汎用アトリビュートファイルのキャラクタリスティックスに格納されている測定データを解釈・特定する（ステップS７０７）。
【００６０】
また、測定データ入力支援装置２は、解釈・特定された測定データを、描画用アプリに入力（読み込み）可能な形式に、当該測定データの形式を変換する（ステップS７０８）。
【００６１】
測定データ入力支援装置２は、変換した測定データを、クリック（又はタップ）された測定ポイントマーカーの座標データに関連付けて記憶する（ステップS７０９）。
【００６２】
図６で示したステップS６０１〜ステップS６１０の処理の順序や図７で示したステップS７０１〜ステップS７０９の処理の順序は、説明の便宜上のものであって、この順序に限定されるものではない。
【００６３】
例えば、上記では、ステップS６０８〜ステップS６１０の処理を行った後に、ステップS７０１の処理を行う構成を示したが、ステップS７０１の処理を行った後に、ステップS６０８〜ステップS６１０の処理を行う構成としても良い。
【００６４】
このように測定データ入力支援装置は、第１通信手段としての、ＣＰＵ２１が、測定データが格納されたBLE汎用アトリビュートファイルを、測定器１から受信する。また、解釈手段としての、ＣＰＵ２１が、当該BLE汎用アトリビュートファイルのキャラクタリスティックスに格納されている測定データを解釈・特定する。そして、第２通信手段としての、ＣＰＵ２１が、解釈・特定された測定データを、描画アプリに入力（読み込み）可能な形式に、変換する構成である。
【００６５】
つまり、測定データ入力支援装置は、第１通信手段、解釈手段及び第２通信手段と、機能毎に３つに区分けするという技術思想に基づいて、構成されている。
【００６６】
このような技術思想に基づいて、構成されたものであることによって、装置全体を新たに最初から開発を行う必要なく、例えば第１通信手段、あるいは第２通信手段といった一部の改変で、測定器と情報処理装置の様々な組み合わせを容易に構築することが可能となり、優れた汎用性・拡張性を有する。また、測定器の測定データの通信方式や測定データの構造に関わらず、任意の記憶媒体にダイレクトに記憶させることができるため、高いユーザビリティを有し、また既存データを活用することができる。
【００６７】
なお、本実施の形態例１では、ＢＬＥを用いる構成を示した。これは、「第１通信手段としてのＣＰＵ２１が、ＢＬＥ汎用アトリビュートファイルのキャラクタリスティックスに格納されている測定データを受信」し、「解釈手段としてのＣＰＵ２１が、ＢＬＥ汎用アトリビュートファイルのキャラクタリスティックスに格納されている測定データを解釈・特定する」というように、機能（処理）毎に区分けすることができるためである。
【００６８】
＜変形例１＞
なお、本実施の形態例１では、照度計である測定器１が、測定データを「Bluetooth （登録商標）Low Energy（＝BLE）」という無線通信方式を用いて出力し、任意のAuto CAD図面（記憶媒体）に入力（記憶）する構成を示したが、この構成に限定されるものではない。例えば、絶縁抵抗計である測定器が測定データを、有線シリアル通信を用いて出力し、任意のExcelワークシート（記憶媒体）に入力（記憶）する。また、ノギスの測定データを、Bluetooth（登録商標）（＝BR／EDR）、シリアル通信及びWeb I/Fを用いて出力し、所定のテキストファイル（記憶媒体）に入力（記憶）する構成としても良い。
【符号の説明】
【００６９】
１：測定器、１１：測定部、１２：A/D変換部、１３：表示部、１４：入力部、１５：通信部、１６：制御部、
２：測定データ入力支援装置、２１：ＣＰＵ、２２：ＨＤ、２２１：図面データ記憶領域、２３：ＲＡＭ、２４：ＲＯＭ、２５：ディスプレイ、２６：入力装置、２７：Ｉ/Ｆ、２８：バス、
３：ネットワーク
【図１】
2019133442.tif 000003
【図２】
2019133442.tif 000004
【図３】
2019133442.tif 000005
【図４】
2019133442.tif 000006
【図５】
2019133442.tif 000007
【図６】
2019133442.tif 000008
【図７】
2019133442.tif 000009